(57)【要約】【課題】一人の使用者が加入者カード（ＵＳＩＭカード）を用いて複数の携帯無線通信端末を使い分ける場合の利便性を改善する。【解決手段】  使用者が携帯無線通信端末(1-a)、(1-b)を、ＵＳＩＭカード(1-d)を差し替えることによって交互に使用する場合、ＵＳＩＭカードが挿入され、ネットワーク網に接続されて使用中の端末(1-a)の内部メモリとネットワークサーバ(1-c-3)内のユーザ占有メモリのミラーリングを行うことにより、ネットワークサーバ内のユーザ占有メモリに格納される使用者の個人情報を常に最新の情報に保つようにする。そして、使用者がＵＳＩＭカード(1-d)を端末(1-b)に差し替えて使用する端末を変更したとき、端末(1-b)の通信確立が完了した時点で自動的に上記ユーザ占有メモリにアクセスし、最新の個人情報をダウンロードして端末(1-b)の内部メモリに展開することにより使用端末の切り替えを即座に実行する。 【選択図】      図１
2007060515.tif 000002
【特許請求の範囲】
【請求項１】
加入者の識別コードを記憶する加入者カード（以下、ＵＳＩＭカードという）を装着することで通信ネットワークの通信サービスが利用可能となる携帯無線通信端末と、前記通信ネットワークに接続され、前記ＵＳＩＭカードを装着した携帯無線通信端末から送信された前記ＵＳＩＭカード使用者の個人情報を格納するユーザ専用メモリを備えたネットワークサーバとからなる携帯無線通信システムにおいて、
前記携帯無線通信端末は、前記ＵＳＩＭカードが装着されたことを検出して前記ネットワークサーバのユーザ専用メモリにアクセスし、前記ＵＳＩＭカード使用者の個人情報を受信して前記携帯無線通信端末の内部メモリにダウンロードする手段と、前記ＵＳＩＭカードが装着されて使用されているときに前記内部メモリに格納されている前記個人情報の更新操作がなされたときもしくは予め設定された時間間隔毎に、更新された前記個人情報を前記ネットワークサーバにアップロードする手段を備えており、
前記ネットワークサーバは、前記ＵＳＩＭカードが装着された携帯無線通信端末から前記ＵＳＩＭカード使用者の個人情報のダウンロード要求を受けたとき前記ユーザ専用メモリに格納されている前記ＵＳＩＭカード使用者の個人情報を前記携帯無線通信端末へ送信する手段と、前記携帯無線通信端末からアップロードされた前記個人情報により前記ネットワークサーバ内のユーザ占有メモリに格納されている前記ＵＳＩＭカード使用者の個人情報を更新する手段を備えていることを特徴とする携帯無線通信システム。
【請求項２】
前記携帯無線通信端末は携帯電話機能を備え、前記ネットワークサーバは携帯電話基地局に接続されており、前記携帯無線通信端末は前記個人情報のダウンロードおよびアップロードを、前記携帯電話機能を用いて前記携帯電話基地局経由で実行する手段を有していることを特徴とする請求項１に記載の携帯無線通信システム。
【請求項３】
前記携帯無線通信端末は携帯電話機能およびＷＬＡＮ機能を備え、前記ネットワークサーバは携帯電話基地局およびＷＬＡＮ基地局に接続されており、前記携帯無線通信端末は前記個人情報のダウンロードおよびアップロードを、前記携帯電話機能または前記ＷＬＡＮ機能のいずれか一方を選択して前記携帯電話基地局または前記ＷＬＡＮ基地局のいずれか一方経由で実行する手段を有していることを特徴とする請求項１に記載の携帯無線通信システム。
【請求項４】
前記携帯無線通信端末は、前記携帯電話機能および前記ＷＬＡＮ機能の中から最適なルートを選択して前記個人情報のダウンロードおよびアップロードを実行する手段を有していることを特徴とする請求項３に記載の携帯無線通信システム。
【請求項５】
前記携帯無線通信端末は、携帯無線通信端末間で直接通信可能な近距離無線通信手段と、前記基地局経由での前記個人情報のダウンロードが不可のとき、直前に前記ＵＳＩＭカードが装着されていた携帯無線通信端末から前記近距離無線通信手段を用いて端末同士の接続により前記個人情報を転送する機能を有していることを特徴とする請求項１〜４のいずれか１項に記載の携帯無線通信システム。
【請求項６】
前記近距離無線通信手段は、Bluetoothおよび又は赤外線（ＩＲ）通信手段であることを特徴とする請求項５に記載の携帯無線通信システム。
【請求項７】
加入者の識別コードを記憶する加入者カード（ＵＳＩＭカード）が装着されたことを検出して前記ＵＳＩＭカード使用者の個人情報を格納するユーザ専用メモリを備えたネットワークサーバにアクセスし、前記ＵＳＩＭカード使用者の個人情報を受信して内部メモリにダウンロードする手段と、前記ＵＳＩＭカードが装着されて使用されているときに前記内部メモリに格納されている前記個人情報の更新操作がなされたときもしくは予め設定された時間間隔毎に、更新された前記個人情報を前記ネットワークサーバにアップロードする手段を備えていることを特徴とする携帯無線通信端末。
【請求項８】
前記携帯無線通信端末は携帯電話機能を備えており、携帯電話基地局に接続された前記ネットワークサーバに対して、前記携帯電話機能を用いて前記携帯電話基地局経由で前記個人情報のダウンロードおよびアップロードを実行する手段を有していることを特徴とする請求項７に記載の携帯無線通信端末。
【請求項９】
前記携帯無線通信端末は携帯電話機能およびＷＬＡＮ機能を備えており、携帯電話基地局およびＷＬＡＮ基地局に接続された前記ネットワークサーバに対して、前記携帯電話機能または前記ＷＬＡＮ機能のいずれか一方を選択して前記携帯電話基地局または前記ＷＬＡＮ基地局のいずれか一方経由で前記個人情報のダウンロードおよびアップロードを実行する手段を有していることを特徴とする請求項７に記載の携帯無線通信端末。
【請求項１０】
前記携帯無線通信端末は、前記携帯電話機能および前記ＷＬＡＮ機能の中から最適なルートを選択して前記個人情報のダウンロードおよびアップロードを実行する手段を有していることを特徴とする請求項９に記載の携帯無線通信端末。
【請求項１１】
前記携帯無線通信端末は、携帯無線通信端末間で直接通信可能な近距離無線通信手段と、前記基地局経由での前記個人情報のダウンロードが不可のとき、直前に前記ＵＳＩＭカードが装着されていた携帯無線通信端末から前記近距離無線通信手段を用いて端末同士の接続により前記個人情報を転送する手段を有していることを特徴とする請求項７〜１０のいずれか１項に記載の携帯無線通信端末。
【請求項１２】
前記近距離無線通信手段は、Bluetoothおよび又は赤外線（ＩＲ）通信手段であることを特徴とする請求項１１に記載の携帯無線通信端末。
【請求項１３】
前記携帯無線通信端末は、カメラ機能と、前記ＵＳＩＭカードが外されたことを検出して前記ネットワークサーバのアドレス情報を該端末が有する表示部に二次元バーコード情報に変換して表示する手段と、前記ＵＳＩＭカードが装着され、直前に前記ＵＳＩＭカードが装着されていた携帯無線通信端末の表示部に表示中の前記二次元バーコード情報が前記カメラ機能により撮影されたとき、該撮影された画像情報を処理して、前記ＵＳＩＭカード使用者の個人情報を格納するユーザ専用メモリを備えたネットワークサーバのアドレス情報を獲得する手段と、該獲得したアドレス情報により前記ネットワークサーバへアクセスする手段を備えていることを特徴とする請求項７〜１２のいずれか１項に記載の携帯無線通信端末。
【発明の詳細な説明】
【技術分野】
【０００１】
本発明は、加入者の識別コードを記憶する加入者カード（以下、ＵＳＩＭカード（Universal Subscriber Identity Module）という）を装着することで通信サービスが利用可能となる携帯無線通信システムに関する。
【背景技術】
【０００２】
携帯電話は、既に多くの国や地域で展開されている従来のＧＳＭ（Global System for Mobile Communications）通信方式に加え、今後本格的に世界中に展開される第３世代のＣＤＭＡ（Code Division Multiple Access）方式が加わるが、そのいずれも加入者の識別コードを記憶するＵＳＩＭカードを装着することで通信サービスが利用可能になる。ＵＳＩＭカードはメモリーカードの一種であり、使用者それぞれの電話番号に相当する識別情報（ＩＤ）や、使用者への課金情報に加え、容量制限はあるものの電話帳情報などが書き込まれている（特許文献１参照）。
【０００３】
このＵＳＩＭカードを装着することで通信サービスが利用可能となる携帯電話装置では、使用者が複数の端末に対して一つのＵＳＩＭカードの挿し替えにより複数の端末の使用が可能となる、もしくは複数の使用者が一台の端末をＵＳＩＭカードの挿し替えという操作のみで使用可能となるというフレキシブルな通信環境を提供することができる。
【０００４】
従って、使用者は一人で複数の端末を用途（仕事／プライベートなど）に応じて使い分けるといったことも一般的になりつつある。すると使用者自らが使い勝手を向上させるために設定したカスタマイズ情報や使用する用途に必要なデータのみを容易に取り出せる環境に対する要求が高くなる。ここでカスタマイズ情報とは、使用頻度の高いアイコンを液晶画面にショートカットとして登録したり、ＬＣＤ画面をお気に入りの壁紙に設定したりといった情報のことである。
【０００５】
またＷＣＤＭＡ、ＧＳＭとも、ＨＳＤＰＡ（High Speed Downlink Packet Access）、ＥＤＧＥ（Enhanced Data GSM Environment）などの技術を採用することで、データ通信速度の大幅な高速化が可能になり、ネットワーク通信の環境も大きく変化することが考えられることからも、今後、複数の端末を用途（仕事／プライベートなど）に応じて使い分ける必要性が高まることが予想される。
【０００６】
【特許文献１】特開２００２−３００２５４号公報
【発明の開示】
【発明が解決しようとする課題】
【０００７】
上記特許文献１に記載の発明の場合、ある使用者が別の端末を使用する際、ＵＳＩＭカードが抜かれる前に内部メモリの個人データを外部メモリ等にコピーし、コピーが完了したら外部メモリやＵＳＩＭカードスロットのロックを解除するといった処理を行い、また個人情報の漏洩防止の観点から、コピー終了後に内部メモリのデータを消去または初期化するといった措置を取っている。
【０００８】
しかしこれらの処理は非常に煩雑であり、例えば複数の端末を用途に応じて使い分けているような状況において、ＵＳＩＭカードを別の端末に差し替えて別の用途を実行させようとする場合に、内部メモリに記憶された個人データのコピーが完了するまではカードスロットのロックが解除されないため、即座に切り替えることができず、実際に使用する場面では使用者にとって非常に使い勝手が悪い構成となっている。
【０００９】
本発明の目的は、加入者の識別コードを記憶する加入者カード（ＵＳＩＭカード）を装着することで通信サービスが利用可能となる携帯電話装置における上記問題点に鑑み、一人の使用者が複数の携帯電話端末を用途に分けて使用する場合等において、使用者の利便性を改善することが可能な手段を提供することにある。
【課題を解決するための手段】
【００１０】
本発明の携帯無線通信システムは、加入者の識別コードを記憶する加入者カード（以下、ＵＳＩＭカードという）を装着することで通信ネットワークの通信サービスが利用可能となる携帯無線通信端末と、前記通信ネットワークに接続され、前記ＵＳＩＭカードを装着した携帯無線通信端末から送信された前記ＵＳＩＭカード使用者の個人情報を格納するユーザ専用メモリを備えたネットワークサーバとからなり、前記携帯無線通信端末は、前記ＵＳＩＭカードが装着されたことを検出して前記ネットワークサーバのユーザ専用メモリにアクセスし、前記ＵＳＩＭカード使用者の個人情報を受信して前記携帯無線通信端末の内部メモリにダウンロードする手段と、前記ＵＳＩＭカードが装着されて使用されているときに前記内部メモリに格納されている前記個人情報の更新操作がなされたときもしくは予め設定された時間間隔毎に、更新された前記個人情報を前記ネットワークサーバにアップロードする手段を備えており、前記ネットワークサーバは、前記ＵＳＩＭカードが装着された携帯無線通信端末から前記ＵＳＩＭカード使用者の個人情報のダウンロード要求を受けたとき前記ユーザ専用メモリに格納されている前記ＵＳＩＭカード使用者の個人情報を前記携帯無線通信端末へ送信する手段と、前記携帯無線通信端末からアップロードされた前記個人情報により前記ネットワークサーバ内のユーザ占有メモリに格納されている前記ＵＳＩＭカード使用者の個人情報を更新する手段を備えていることを特徴とする
【００１１】
本発明は、例えば、使用者が複数台の携帯無線通信端末を、ＵＳＩＭカードを差し替えることによって交互に使用する場合、ＵＳＩＭカードが挿入され、ネットワーク網に接続されて使用中の携帯無線通信端末の内部メモリとネットワークサーバ内のユーザ占有メモリのミラーリングを行うことにより、ネットワークサーバ内のユーザ占有メモリに格納される使用者の個人情報を常に最新の情報に保つようにする。そして、使用者がＵＳＩＭカードを他の携帯無線通信端末に差し替えて使用する端末を変更したときには、端末の通信確立が完了した時点で自動的に上記ユーザ占有メモリにアクセスし、最新の個人情報をダウンロードして端末の内部メモリに展開することにより、使用端末の切り替えを即座に実行できるようにする。
【００１２】
前記携帯無線通信端末は携帯電話機として実現することができ、前記ネットワークサーバは携帯電話基地局に接続されており、前記携帯無線通信端末は前記個人情報のダウンロードおよびアップロードを、前記携帯電話機能を用いて前記携帯電話基地局経由で実行する手段を有する構成とすることができる。
【００１３】
あるいは、前記携帯無線通信端末は携帯電話機能およびＷＬＡＮ機能を備えた構成とすることができ、前記ネットワークサーバは携帯電話基地局およびＷＬＡＮ基地局に接続されており、前記携帯無線通信端末は前記個人情報のダウンロードおよびアップロードを、前記携帯電話機能または前記ＷＬＡＮ機能のいずれか一方を選択して前記携帯電話基地局または前記ＷＬＡＮ基地局のいずれか一方経由で実行する手段を有する構成とすることができる。
【００１４】
さらに本発明の携帯無線通信端末には、携帯無線通信端末間で直接通信可能な近距離無線通信手段と、前記基地局経由での前記個人情報のダウンロードが不可のとき、直前に前記ＵＳＩＭカードが装着されていた携帯無線通信端末から前記近距離無線通信手段を用いて端末同士の接続により前記個人情報を転送する機能を有する構成とすることができる。
【００１５】
このように本発明では、携帯電話や無線ＬＡＮ（ＷＬＡＮ）などのネットワーク接続手段や、個々の端末の持っている通信手段を有効に活用して、上記の課題を克服することが可能である。
【発明の効果】
【００１６】
本発明によれば、加入者の識別コードを記憶する加入者カード（ＵＳＩＭカード）を装着することで通信サービスが利用可能となる携帯電話装置において、ＵＳＩＭカード差し替えにより使用者が複数の端末を使用する場合に、使用者が使用していた元の端末の環境設定などを含む個人情報を、煩雑な操作を行うことなく新たに使用する端末に容易かつ速やかに展開することが可能となる。
【００１７】
また、使用している端末の内部メモリとネットワークサーバ内にあるユーザ占有メモリとのミラーリングをリアルタイムもしくは一定期間ごとに行っているので、使用者が自らの環境設定などを含む個人情報を失った場合にも容易に復旧可能となる。
【００１８】
さらに、前記メモリ内の個人情報は、識別コードなどの認証なしにアクセス不能であるため、個人情報の秘匿性を保つことができる。
【発明を実施するための最良の形態】
【００１９】
図１は、本発明の携帯無線通信システムの第１の実施形態を示すブロック構成図である。
【００２０】
図１において、(1-a)、(1-b)は携帯電話機等の端末であり、それぞれ、端末アンテナ(1-a-1)、(1-b-1)、携帯電話無線部(1-a-2)、(1-b-2)、制御部(1-a-3)、(1-b-3)、制御プログラム、各種データ等が記憶されるＲＯＭ／ＲＡＭ(1-a-4)、(1-b-4)、電話帳データ等の個人情報を記憶するＥＥＰＲＯＭ(1-a-5)、(1-b-5)、操作部(1-a-6)、(1-b-6)、ＵＳＩＭカードスロット(1-a-7),(1-b-7)、音声処理部(1-a-8)、(1-b-8)、マイク(1-a-9)、(1-b-9)、レシーバ(1-a-10)、(1-b-10)、スピーカ(1-a-11)、(1-b-11)、画像処理部(1-a-12)、(1-b-12)、表示部(1-a-13)、(1-b-13)、カメラ(1-a-16)、(1-b-16)等を備えている。
【００２１】
また(1-c)は、端末(1-a)、(1-b)等に通信サービスを提供する通信ネットワークであり、端末アンテナ(1-a-1)、(1-b-1)と無線接続される基地局アンテナ(1-c-1)を有する携帯電話基地局(1-c-2)、ネットワークサーバ(1-c-3)等を備えている。端末(1-a)、(1-b)は、ＵＳＩＭカード(1-d)がＵＳＩＭカードスロット(1-a-7)、(1-b-7)に装着されたとき、通信ネットワーク(1-c)による通信サービスを受けることができる。従って、例えば使用者が使用する端末を、端末(1-a)から別の端末(1-b)に変更する場合には、ＵＳＩＭカード(1-d)を端末(1-a)から抜いて、端末(1-b)に挿し替えるという行為を行う。
【００２２】
本実施形態では、このような状況において、更新された使用者の個人情報を、携帯電話通信手段を用いて通信ネットワーク(1-c)内のネットワークサーバ(1-c-3)に接続し、使用中にリアルタイムでユーザ占有メモリへアップロードするという処理を行う。リアルタイムでの接続とは、使用者がどちらかの端末(1-a)、(1-b)を使用していて、データの更新操作を端末に施すたび、もしくは予め設定した時間間隔毎にネットワークサーバ(1-c-3)内のユーザ占有メモリに携帯電話のパケット通信網を介して接続し、端末の内部メモリの内容とのミラーリングを行い常に使用者の個人データの全部、または設定情報の一部を最新の情報に保持する行為である。
【００２３】
これにより、使用者がＵＳＩＭカード挿し替えにより使用する端末を変更しても、ネットワークサーバ内に最新の個人データや設定情報がアップロード済みであるため、これらのデータを携帯電話通信、もしくはそれ以外の通信手段を用いて指定されたサーバからダウンロードすることにより、端末変更前後でのデータ移行がスムーズとなる。
【００２４】
図２は、本実施形態において、使用する端末を(1-a)から別の端末(1-b)に変更する場合の動作手順を示す説明図である。以下、図１および図２を用いて本実施形態の動作について詳細に説明する。
【００２５】
ＵＳＩＭカードは使用者の識別コードを認識する加入者カードのことであり、加入者の電話番号に相当する識別情報が書き込まれたメモリーカードである。このＵＳＩＭカード(1-d)を端末(1-a)のＵＳＩＭカードスロット(1-a-7)または端末(1-b)のＵＳＩＭカードスロット(1-b-7)に挿入することで、制御部(1-a-3)または制御部(1-b-3)にて内部の情報が読み込まれ、端末(1-a)または端末(1-b)による音声通話やメール送受信などの機能が使用可能となる。
【００２６】
最初に使用者は、ＵＳＩＭカード(1-d)を端末(1-a)に挿入して使用していると仮定する。従って端末(1-a)は、携帯電話通信を介して通信ネットワーク(1-c)内のネットワークサーバ(1-c-3)と接続可能な状態にある（２−１、２−２）。またこのとき端末(1-b)は、ＵＳＩＭカード(1-d)が挿入されていないため、携帯電話通信網を用いた通信は不可能な状態である（２−３）。
【００２７】
端末(1-a)と通信ネットワーク(1-c)とが携帯電話通信によって接続され、通信ネットワーク(1-c)内の携帯電話基地局(1-c-2)からの通信データが基地局アンテナ(1-c-1)を介して送出されると、端末(1-a)では、端末アンテナ(1-a-1)にて基地局アンテナ(1-c-1)から送出された電波信号を受信し、携帯電話無線部(1-a-2)において制御部(1-a-3)で処理可能なレベルまで増幅する。制御部(1-a-3)は無線部で増幅された信号の処理を行い、音声通話であれば音声処理部(1-a-8)を介してスピーカ(1-a-11)を鳴音させ、また、マイク(1-a-9)およびレシーバ(1-a-10)を動作させて音声通話を行う。一方、データ通信であれば、画像処理部(1-a-12)を介して表示部(1-a-13)に情報内容を表示する。
【００２８】
これらの操作やそれ以外のメール作成や電話帳登録など全ての操作は操作部(1-a-6)で行われ、受信したメールデータや画像データ、音声データなどは制御部(1-a-3)を介してＲＯＭ／ＲＡＭ(1-a-4)に記憶され、電話帳データはＵＳＩＭカード(1-d)もしくはＥＥＰＲＯＭ(1-a-5)に記憶される。電話帳登録については、ＵＳＩＭカードに記憶するかＥＥＰＲＯＭに記憶するかは使用者が任意に設定可能である。ＵＳＩＭカード(1-d)は可搬であるが、メモリ容量は小さく登録件数に上限があるため、ＥＥＰＲＯＭ(1-a-5)にも登録可能とし登録相手によって使用者がメモリを選択可能としている。
【００２９】
本実施形態では、使用者が端末(1-a)を使用していて、設定変更や電話帳登録などの操作によって内部メモリに変更が加えられた場合（２−４）、その都度制御部(1-a-3)はＲＯＭ／ＲＡＭ(1-a-4)およびＥＥＰＲＯＭ(1-a-5)から変更されたデータを読み出し、無線部(1-a-2)を介して端末アンテナ(1-a-1)から通信ネットワーク(1-c)に接続する（２−５）。
【００３０】
通信ネットワーク(1-c)は、端末(1-a)から受信したデータを、基地局アンテナ(1-c-1)および携帯電話基地局(1-c-2)を介してネットワークサーバ(1-c-3)へ送出する。ネットワークサーバ(1-c-3)にはユーザ占有領域が設けられており、ネットワークサーバ(1-c-3)は携帯電話基地局(1-c-2)から受信したデータにより、ネットワークサーバ内のユーザ占有メモリの更新を行う（２−６）。
【００３１】
これにより使用者の設定情報は常にネットワークサーバ(1-c-3)内にも同時に格納されるため、自分で使用している端末以外の記憶領域に最新の情報を保存することが可能となる。またこの更新の頻度については、前記のように設定変更や電話帳登録などの操作によって内部メモリに変更が加えられるたびにリアルタイムで行うか、あるいは予め設定された一定時間間隔ごとに行う等の方法を予め設定しておけばよい。
【００３２】
この後、使用者が使用する端末を端末(1-a)から端末(1-b)に変更する際は、ＵＳＩＭカード(1-d)を端末(1-a)のＵＳＩＭカードスロット(1-a-7)から抜いて（２−６）、端末(1-b)のＵＳＩＭカードスロット(1-b-7)に挿し替えるという行為を行う。ＵＳＩＭカード(1-d)が抜かれた端末(1-a)は携帯電話通信網を用いた通信が不可能な状態となる（２−７、２−８）。
【００３３】
一方、端末(1-b)の制御部(1-b-3)はＵＳＩＭカードスロット(1-b-7)を介してＵＳＩＭカードが挿入されたことを認識し、携帯電話無線部(1-b-2)を介して端末アンテナ(1-b-1)から電波を送出し、通信ネットワーク(1-c)と携帯電話通信の確立作業を行う（２−９、２−１０）。端末(1-b)は通信確立作業完了後、直ちに携帯電話通信機能を用いてネットワークサーバ内にある当該ＵＳＩＭカードにより指定されたユーザ占有メモリへのアクセス要求を行う（２−１１）。ここで通信ネットワークはＵＳＩＭカードの識別コードなどから使用者を特定し、ネットワークサーバ(1-c-3)内にあるユーザ占有メモリへのアクセスを許可する（２−１２）。
【００３４】
この後、ネットワークサーバ(1-c-3)から端末(1-b)に対して、携帯電話基地局(1-c-2)および基地局アンテナ(1-c-1)を介してユーザ占有メモリに格納されている最新の個人データや設定情報がダウンロードされる（２−１３）。受信したデータは端末アンテナ(1-b-1)および携帯電話無線部(1-b-2)を介して制御部(1-b-3)で処理が行われ、データの種類によって適宜ＲＯＭ／ＲＡＭ(1-b-4)およびＥＥＰＲＯＭ(1-b-5)に格納される。
【００３５】
また個人情報が保存されているネットワークサーバ(1-c-3)内のアドレス情報に関しては、端末(1-a)にてデータ更新時にＵＳＩＭカード(1-d)に記憶しても良いし、端末(1-a)の制御部(1-a-3)にて保存したネットワークサーバのアドレス情報を画像処理部(1-a-12)で二次元バーコード情報に変換し、表示部(1-a-13)に表示可能とさせても良い。
【００３６】
ＵＳＩＭカード(1-d)を端末(1-b)に挿入し個人データをダウンロードする際に、二次元バーコード情報に変換されたアドレス情報を表示している端末(1-a)の表示部を、端末(1-b)のカメラ(1-b-16)で撮影することで、制御部(1-b-3)は撮影した画像を画像処理部(1-b-12)介して、使用者の個人情報が保存されたネットワークサーバのアドレス情報を得ることができる。このような構成にすれば、ＵＳＩＭカード(1-d)を紛失し、該紛失したＵＳＩＭカード(1-d)を他人が使用しても、使用者の個人情報が保存されたネットワークサーバへのアクセスを防ぐことができ、セキュリティを高めることができる。
【００３７】
以上により、使用者は使用する端末を端末(1-a)から端末(1-b)に変更しても、常に最新の環境設定や電話帳データを煩雑な作業を行うことなしに速やかに展開可能となる。
【００３８】
図３は、本発明の携帯無線通信システムの第２の実施形態を示すブロック構成図である。
【００３９】
本実施形態における携帯端末は、携帯電話機能に加えて無線ＬＡＮ（ＷＬＡＮ）機能を具備している。携帯電話機能の動作は概ね第１の実施形態で説明した内容と同様であるので第１の実施形態の動作と共通する部分の説明は割愛する。第１の実施形態との構成上の違いとして、本実施形態の端末は携帯電話通信網に加え、ＴＣＰ／ＩＰ経由でもネットワークサーバに接続可能な点である。
【００４０】
本実施形態では、使用者が端末(3-a)を使用している状態で、設定変更や電話帳登録などの操作によって内部メモリに変更が加えられた場合、その都度携帯電話通信網、もしくはＷＬＡＮ回線を通じて、通信ネットワーク(3-c)のネットワークサーバ(3-c-3)に接続し、サーバ内の任意のアドレスにある使用者の個人情報の更新作業を行う。また第１の実施形態と同様に更新の頻度は、変更のたびにリアルタイムで、あるいは予め設定された一定時間間隔ごとに実施される。また、携帯電話通信網とＷＬＡＮ回線のどちらの接続を使用するかについては後述する。
【００４１】
ここでＷＬＡＮ回線との接続に関しては、端末(3-a)の制御部(3-a-3)はＲＯＭ／ＲＡＭ(3-a-4)およびＥＥＰＲＯＭ(3-a-5)から変更されたデータを読み出し、ＷＬＡＮ無線部(3-a-15)、ＷＬＡＮ端末アンテナ(3-a-14)を介して通信ネットワーク(3-c)に接続し、通信ネットワークではＷＬＡＮ基地局アンテナ(3-c-4)、ＷＬＡＮ基地局(3-c-5)を介してネットワークサーバ(3-c-3)と認証を行い接続可能となる。これにより第１の実施形態の説明と同様、使用者の設定情報は常にネットワークサーバ(3-c-3)内にも同時に格納されるため、自分で使用している端末以外のメモリに最新の情報を保存することが可能となる。
【００４２】
この後、使用者が使用する端末を端末(3-a)から端末(3-b)に変更する際は、ＵＳＩＭカード(3-d)を端末(3-a)のＵＳＩＭカードスロット(3-a-7)から抜いて、端末(3-b)のＵＳＩＭカードスロット(3-b-7)に挿し替えるという行為を行う。すると端末(3-a)は第１の実施形態の場合と同様に、携帯電話通信網を用いた通信は不可能な状態となる。
【００４３】
一方端末(3-b)の制御部(3-b-3)はＵＳＩＭカードスロット(3-b-7)を介してカードが挿入されたことを認識し、携帯電話無線部(3-b-2)を介して端末アンテナ(3-b-1)から電波を送出し、通信ネットワーク(3-c)と携帯電話通信の確立作業を行う。本実施形態では、端末(3-b)が前記通信確立作業完了後、直ちに携帯電話通信網、もしくはＷＬＡＮ回線を通じて通信ネットワークにアクセスする。ここで通信ネットワークは、第１の実施形態の場合と同様に、識別コードなどから使用者を特定し、ネットワークサーバ(3-c-3)内にある個人情報へのアクセスを許可する。
【００４４】
この後、端末(3-b)へは携帯電話通信網、もしくはＷＬＡＮ回線を通じて最新の個人データや設定情報をダウンロードする。受信したデータは制御部(3-b-3)で処理が行われ、データの種類によって適宜ＲＯＭ／ＲＡＭ(3-b-4)およびＥＥＰＲＯＭ(3-b-5)に格納される。
【００４５】
個人情報が保存されているネットワークサーバ(3-c-3)内のアドレス情報に関しては、第１の実施形態と同様に、端末(3-a)にてデータ更新時にＵＳＩＭカード(3-d)に記憶しても良いし、端末(3-a)の制御部(3-a-3)にて保存したネットワークサーバのアドレス情報を画像処理部(3-a-12)で二次元バーコード情報に変換し、表示部(3-a-13)に表示可能とさせても良い。そして、ＵＳＩＭカード(3-d)を端末(3-b)に挿入し個人データをダウンロードする際に、二次元バーコード情報に変換されたアドレス情報を表示している端末(3-a)の表示部を、端末(3-b)のカメラ(3-b-16)で撮影することで、制御部(3-b-3)は撮影した画像を画像処理部(3-b-12)介して、使用者の個人情報が保存されたネットワークサーバのアドレス情報を得るようにして、セキュリティを高めることができる。
【００４６】
前述した携帯電話通信網とＷＬＡＮ回線の接続手段の決定は、使用者がそれぞれの端末に対して予め個別に設定可能とするか、もしくは電波状態（通信速度）などから端末が任意に選択するという構成のいずれでもよい。図４は、この接続網の選択動作の例を示すフローチャートである。以下、この接続網の選択方法について、図３および図４を用いて説明する。なお、本実施形態では、使用者はそれぞれの端末の操作部(3-a-6)および(3-a-7)よりネットワークサーバへの接続網の設定を手動により優先順位を設定するか、もしくは自動とするかを予め選択して設定しているが、いずれか一方のみでもかまわない。
【００４７】
ＵＳＩＭカード(3-d)が装着されて使用中の端末(3-a)において設定変更や電話帳登録などの操作が行われ内部メモリに変更が加えられた場合、または端末(3-b)のＵＳＩＭカードスロット(3-b-7)にＵＳＩＭカード(3-d)が挿し替えられた場合、制御部(3-a-3)または(3-b-3)は、ネットワークサーバへの接続網の設定が手動であるか自動であるかを判定し（４−１）、手動が設定されている場合には、携帯電話通信網にて接続するかＷＬＡＮ回線にて接続するかの選択を指示する（４−２）。
【００４８】
使用者が携帯電話網にて接続することを選択した場合、制御部(3-a-3)または(3-b-3)は、携帯電話無線部(3-a-2)または(3-b-2)を動作させ、まずその環境で携帯電話網に接続可能かを確認し（４−３）、接続可能であれば接続網を携帯電話網と決定し（４−４）、通信を確立して個人情報のアップロードまたはダウンロードを行う（４−５）。また（４−３）にて接続が不能であった場合には、制御部(3-a-3)または(3-b-3)は、ＷＬＡＮ無線部(3-a-15)または(3-b-15)を起動して（４−６）、ＷＬＡＮ回線で接続可能かを確認し（４−７）、接続可能であれば接続網をＷＬＡＮ回線と決定し（４−４）、通信を確立して個人情報のアップロードまたはダウンロードを行う（４−５）。（４−７）にてＷＬＡＮ回線でも接続不能であった場合には一旦通信失敗とし（４−８）、どちらかの通信が確立した時点でリトライする。
【００４９】
同様に（４−２）にて使用者がＷＬＡＮ回線にて接続することを選択した場合、制御部(3-a-3)または(3-b-3)はＷＬＡＮ無線部を起動し、まずその環境でＷＬＡＮ回線にて接続可能かを確認し（４−９）、接続可能であれば接続網をＷＬＡＮ回線と決定し（４−４）、通信を確立して個人情報のアップロードまたはダウンロードを行う（４−５）。また（４−９）にて接続が不能であった場合には、制御部(3-a-3)または(3-b-3)は携帯電話無線部を動作させ（４−１０）、携帯電話網にて接続可能かを確認し（４−１１）、接続可能であれば接続網を携帯電話網と決定し（４−４）、通信を確立して個人情報のアップロードまたはダウンロードを行う（４−５）。（４−１１）にて携帯電話網でも接続不能であった場合には一旦通信失敗とし（４−８）、どちらかの通信が確立した時点でリトライする。
【００５０】
次に（４−１）にて接続網の設定を自動で行うことが設定されている場合、制御部(3-a-3)または(3-b-3)は携帯電話無線部およびＷＬＡＮ無線部を起動し、それぞれの接続網に同時に接続し（４−１２）、両方の接続網が接続可能かを確認する（４−１３）。可能であれば制御部はそれぞれの回線で接続したときのスループットを測定し（４−１４）、より通信環境の良い回線に決定し（４−４）、個人情報のアップロードまたはダウンロードを行う（４−５）。また（４−１３）にて両方接続可能で無かった場合、どちらか一方の通信網で通信可能か確認し（４−１５）、可能であれば接続可能な接続網に決定し（４−４）、個人情報のアップロードまたはダウンロードを行う（４−５）。（４−１５）にてどちらの接続網とも接続不能であった場合には一旦通信失敗とし（４−８）、どちらかの通信が確立した時点でリトライする。
【００５１】
以上により、使用者は使用する端末を端末(3-a)から端末(3-b)に変更しても、常に最新の環境設定や電話帳データを煩雑な作業を行うことなしに速やかに展開可能となる携帯電話端末およびネットワーク環境の提供を実現できる。
【００５２】
図５は、本発明の携帯無線通信システムの第３の実施形態を示すブロック構成図である。本実施形態では、第２の実施形態に加え、それぞれの端末（5-a）および（5-b）が携帯電話通信網、ＷＬＡＮ接続以外に、Bluetooth（ＢＴ）部、ＩＲ（赤外線通信）部などを全てもしくは一部有している。
【００５３】
またＵＳＩＭカード(5-d)は、端末(5-a)および(5-b)が有する接続可能な機器に関する接続情報部を有している。この接続情報部は、ＵＳＩＭカード(5-d)が端末に挿入されたとき、その端末が携帯電話接続網以外で有しているネットワーク接続可能、もしくは端末同士を直接接続が可能なデバイスを認識し、記憶することが可能な構成となっている。
【００５４】
ここで端末(5-a)から端末(5-b)にＵＳＩＭカード(5-d)を挿し替えた場合について考える。端末(5-b)の制御部(5-b-3)はＵＳＩＭカード(5-d)が挿入されると、端末(5-a)の接続可能なデバイス情報をＵＳＩＭカード(5-d)内の接続情報部から認識することが可能となる。そこで自分の接続可能なデバイスと同じデバイスを有しているか制御部(5-b-3)内の接続検出部にて検出する。また制御部(5-b-3)には予め接続デバイスの優先度も設定されており、携帯電話通信網を最優先とし接続速度によってより高速なデバイスの優先度が高く設定されている。図５のような端末で考えると携帯電話通信網、ＷＬＡＮ回線、ＢＴ接続、ＩＲ接続の順である。
【００５５】
次に、この接続網の選択に関して図５および図６のフローチャートを用いて説明する。なお図６では、データのダウンロードの場合のみを示しているが、携帯電話通信網あるいはＷＬＡＮ回線を介してネットワークサーバ(5-c-3)への接続の場合には、第１および第２実施形態と同様に、ミラーリングによる個人情報の更新動作が行われる。しかし、ＢＴ接続、ＩＲ接続の場合は、直前にＵＳＩＭカード(5-d)が挿入されていた端末からの個人情報のダウンロードのみが実行される。
【００５６】
ＵＳＩＭカード(5-d)が挿入された端末(5-b)は個人情報を得るためにまず携帯電話通信網にて接続を試みる（６−１）。接続可能であった場合には制御部(5-b-3)内の接続切替部にて接続網を携帯電話通信網と決定し（６−２）、通信を確立してネットワークサーバ(5-c-3)から個人情報をダウンロードする（６−３）。（６−１）にて接続不能であった場合、制御部(5-b-3)は端末(5-b)にＷＬＡＮ機能があるかをＵＳＩＭカード(5-d)内の接続情報部から確認し（６−４）、接続可能であった場合には制御部(5-b-3)内の接続切替部にて接続網をＷＬＡＮ回線と決定し（６−５）、通信を確立してネットワークサーバ(5-c-3)から個人情報をダウンロードする（６−３）。
【００５７】
端末(5-b)にＷＬＡＮ機能が無い場合、制御部(5-b-3)は端末(5-b)および端末(5-a)にＢＴ機能があるかをＵＳＩＭカード(5-d)内の接続情報部から確認し（６−６）、両端末ともＢＴ機能を持っている場合、制御部(5-b-3)内の接続切替部にて接続を端末同士のＢＴ接続に決定し（６−７）、認証で成功した場合（６−８）、両端末間でＢＴ機能による通信を確立し、端末(5-a)の内部メモリから端末(5-b)の内部メモリへデータ転送する（６−９）。
【００５８】
（６−６）にて両方もしくは片方の端末がＢＴ機能を持っていない場合、また（６−８）にて認証が失敗した場合、制御部(5-b-3)は端末(5-b)および端末(5-a)にＩＲ機能があるかをＵＳＩＭカード(5-d)内の接続情報部から確認し（６−１０）、両端末ともＩＲ機能を持っていた場合、制御部(5-b-3)内の接続切替部にて接続を端末同士のＩＲ接続に決定し（６−１１）、音声処理部(5-b-8)を介してスピーカ(5-b-11)にて使用者にＩＲ接続を促すよう報知する（６−１２）。
【００５９】
使用者は両端末のＩＲ部(5-a-19)および(5-b-19)を近づけ、認証で成功した場合（６−１３）、ＩＲ機能による通信を確立し、端末(5-a)の内部メモリから端末(5-b)の内部メモリへデータ転送する（６−９）。（６−１０）にて両方もしくは片方の端末がＩＲ機能を持っていない場合、また（６−１３）で認証が失敗した場合、通信失敗（６−１４）となり、携帯電話網で接続可能になった時点でリトライする。
【００６０】
以上により、使用者は使用する端末を端末(5-a)から端末(5-b)に変更した場合に、端末の持つ通信機能を有効かつ最適に利用して新たに使用する携帯電話端末(5-b)に容易かつ速やかに最新の環境設定や電話帳データを展開することが可能となる。
【図面の簡単な説明】
【００６１】
【図１】本発明の携帯無線通信システムの第１の実施形態を示すブロック構成図である。
【図２】本実施形態の動作手順を示す説明図である。
【図３】本発明の携帯無線通信システムの第２の実施形態を示すブロック構成図である。
【図４】第２の実施形態における接続網の選択動作の例を示すフローチャートである。
【図５】本発明の携帯無線通信システムの第３の実施形態を示すブロック構成図である。
【図６】第３の実施形態における接続網の選択動作の例を示すフローチャートである。
【符号の説明】
【００６２】
1-a,1-b,3-a,3-b,5-a,5-b  携帯無線通信端末
1-c,3-c,5-c  ネットワーク
1-d,3-d,5-d  加入者カード（ＵＳＩＭカード）
1-a-1,1-b-1,3-a-1,3-b-1,5-a-1,5-b-1  携帯電話端末アンテナ
1-a-2,1-b-2,3-a-2,3-b-2,5-a-2,5-b-2  携帯電話無線部
1-a-3,1-b-3,3-a-3,3-b-3,5-a-3,5-b-3  制御部
1-a-4,1-b-4,3-a-4,3-b-4,5-a-4,5-b-4  ＲＯＭ／ＲＡＭ
1-a-5,1-b-5,3-a-5,3-b-5,5-a-5,5-b-5  ＥＥＰＲＯＭ
1-a-6,1-b-6,3-a-6,3-b-6,5-a-6,5-b-6  操作部
1-a-7,1-b-7,3-a-7,3-b-7,5-a-7,5-b-7  ＵＳＩＭカードスロット
1-a-8,1-b-8,3-a-8,3-b-8,5-a-8,5-b-8  音声処理部
1-a-9,1-b-9,3-a-9,3-b-9,5-a-9,5-b-9  マイク
1-a-10,1-b-10,3-a-10,3-b-10,5-a-10,5-b-10  レシーバ
1-a-11,1-b-11,3-a-11,3-b-11,5-a-11,5-b-11  スピーカ
1-a-12,1-b-12,3-a-12,3-b-12,5-a-12,5-b-12  画像処理部
1-a-13,1-b-13,3-a-13,3-b-13,5-a-13,5-b-13  表示部
3-a-14,3-b-14,5-a-14,5-b-14  ＷＬＡＮ端末アンテナ
3-a-15,3-b-15,5-a-15,5-b-15  ＷＬＡＮ無線部
1-a-16,1-b-16,3-a-16,3-b-16,5-a-16,5-b-16  カメラ
5-a-17,5-b-17  ＢＴ（Bluetooth）アンテナ
5-a-18,5-b-18  ＢＴ（Bluetooth）無線部
5-a-19,5-b-19  ＩＲ（赤外線）通信部
1-c-1,3-c-1,5-c-1  携帯電話基地局アンテナ
1-c-2,3-c-2,5-c-2  携帯電話基地局
1-c-3,3-c-3,5-c-3  ネットワークサーバ
3-c-4,5-c-4  ＷＬＡＮ基地局アンテナ
3-c-5,5-c-5  ＷＬＡＮ基地局
【図１】
2007060515.tif 000003
【図２】
2007060515.tif 000004
【図３】
2007060515.tif 000005
【図４】
2007060515.tif 000006
【図５】
2007060515.tif 000007
【図６】
2007060515.tif 000008